(57)【要約】  ＭＵ−ＭＩＭＯシステムのフレームに含まれるプリアンブル生成方法及びその方法が採用されたデータ送信装置と端末が提供される。データ送信装置は、少なくとも１つ以上の端末に送信される少なくとも１つ以上の時空間ストリーム（Ｓｐａｃｅ  Ｔｉｍｅ  Ｓｔｒｅａｍ）に少なくとも１つのＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスを含めて送信し、  前記ＶＨＴ−ＬＴＦシーケンスは、同時の送信される他のＶＨＴ−ＬＴＦシーケンスと同一の大きさを有する。【選択図】      図３
2013517663.tif 000002
【特許請求の範囲】
【請求項１】
少なくとも１つ以上の端末に送信される少なくとも１つ以上の時空間ストリーム（Ｓｐａｃｅ  Ｔｉｍｅ  Ｓｔｒｅａｍ）に少なくとも１つのＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスを含めて送信し、
前記ＶＨＴ−ＬＴＦシーケンスは、同時の送信される他のＶＨＴ−ＬＴＦシーケンスと同一の大きさを有することを特徴とするデータ送信装置。
【請求項２】
前記ＶＨＴ−ＬＴＦシーケンスは、前記端末に対して同一の直交行列を用いて構成されたものであることを特徴とする請求項１に記載のデータ送信装置。
【請求項３】
前記ＶＨＴ−ＬＴＦシーケンスは、予め定めた条件を満足する直交行列を用いて生成され、前記直交行列の行又は列のうち少なくともいずれか１つの数は、前記端末の各々に送信される前記時空間ストリームの数と同一であることを特徴とする請求項１に記載のデータ送信装置。
【請求項４】
前記直交行列の前記行又は前記列のうち少なくともいずれか１つは、予め定めた順序で作成されることを特徴とする請求項２に記載のデータ送信装置。
【請求項５】
前記ＶＨＴ−ＬＴＦシーケンスは、予め定めた条件を満足する直交行列を用いて生成され、前記直交行列の行又は列のうち少なくともいずれか１つを用いて生成されることを特徴とする請求項１に記載のデータ送信装置。
【請求項６】
前記時空間ストリームは、前記端末ごとに区分されるＶＨＴ−ＳＩＧ（ＶＨＴ−ｓｉｇｎａｌ）フィールドをさらに含み、前記ＶＨＴ−ＳＩＧフィールドは、空間分割多元接続方式（ＳＤＭＡ）でプリコードされることを特徴とする請求項１に記載のデータ送信装置。
【請求項７】
前記ＶＨＴ−ＳＩＧフィールドは、前記端末に送信される前記時空間ストリームに含まれるデータフィールドの長さ情報を含むことを特徴とする請求項６に記載のデータ送信装置。
【請求項８】
前記時空間ストリームは、データフィールドの基本送信単位を調整するためのフレームパッデング（ｆｒａｍｅ  ｐａｄｄｉｎｇ）をさらに含むことを特徴とする請求項１に記載のデータ送信装置。
【請求項９】
前記時空間ストリームは、前記端末に対して共通するＶＨＴ−ＳＩＧフィールドをさらに含み、前記ＶＨＴ−ＳＩＧフィールドは前記ＶＨＴ−ＬＴＦシーケンスの長さ情報を含むことを特徴とする請求項１に記載のデータ送信装置。
【請求項１０】
前記時空間ストリームは、前記端末に対して共通するＬ−ＳＩＧ（Ｌｅｇａｃｙ  ｓｉｇｎａｌ）フィールドをさらに含み、前記Ｌ−ＳＩＧフィールドは、前記Ｌ−ＳＩＧフィールド以後フレームの長さ情報を含むことを特徴とする請求項１に記載のデータ送信装置。
【請求項１１】
複数の送信機と端末を用いた通信方法であって、
各々の前記端末それぞれにＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）とデータフィールドを含む１つ以上のストリームを生成する段階と、
各々の前記端末に前記１つ以上のストリームを送信する段階とを有し、
前記１つ以上のストリームの内の少なくとも１つは、前記データフィールドの長さ情報を有するＶＨＴ−ＳＩＧ（ＶＨＴ−ｓｉｇｎａｌ）フィールドを含むことを特徴とする複数の送信機と端末を用いた通信方法。
【請求項１２】
各々の前記ストリームの前記ＶＨＴ−ＬＴＦシーケンスの長さは同じであることを特徴とする請求項１１に記載の複数の送信機と端末を用いた通信方法。
【請求項１３】
前記ＶＨＴ−ＬＴＦ、ＶＨＴ−ＳＩＧフィールド、及びデータフィールドは、空間分割多元接続方式（ＳＤＭＡ）を用いてプリコードされることを特徴とする請求項１１に記載の複数の送信機と端末を用いた通信方法。
【請求項１４】
ＭＵ−ＭＩＭＯ（Ｍｕｌｔｉ−Ｕｓｅｒ  Ｍｕｌｔｉ−Ｉｎｐｕｔ  Ｍｕｌｔｉ−Ｏｕｔｐｕｔ）における端末機での通信方法であって、
送信機からＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスとプリコードされたデータフィールドとを含む１つ以上のストリームを受信する段階と、
前記ＶＨＴ−ＬＴＦ及びＶＨＴ−ＳＩＧ（ＶＨＴ−ｓｉｇｎａｌ）フィールドを用いて各ストリームのプリコードされたデータフィールドをデコードする段階とを有し、
前記１つ以上のストリームの内の少なくとも１つは、前記データフィールドの長さ情報を有する前記ＶＨＴ−ＳＩＧフィールドを含むことを特徴とするＭＵ−ＭＩＭＯにおける端末機での通信方法。
【請求項１５】
前記ＶＨＴ−ＬＴＦの長さは、各ストリームで同じであることを特徴とする請求項１４に記載のＭＵ−ＭＩＭＯにおける端末機での通信方法。
【請求項１６】
前記ＶＨＴ−ＬＴＦ及びＶＨＴ−ＳＩＧフィールドは、プリコードされていることを特徴とする請求項１４に記載のＭＵ−ＭＩＭＯにおける端末機での通信方法。
【請求項１７】
少なくとも１つ以上の端末に送信される少なくとも１つ以上の時空間ストリーム（Ｓｐａｃｅ  Ｔｉｍｅ  Ｓｔｒｅａｍ）に含まれる少なくとも１つのＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスを生成する生成ユニットと、
複数の前記時空間ストリームの少なくとも１つに同時に送信する送信ユニットとを有し、
前記ＶＨＴ−ＬＴＦシーケンスは、前記送信された複数の前記時空間ストリームの他の時空間ストリームを含む他のＶＨＴ−ＬＴＦシーケンスと同じ大きさを有することを特徴とするデータ送信装置。
【請求項１８】
前記少なくとも１つ以上の時空間ストリームは、少なくとも１つのＶＨＴ−ＬＴＦシーケンスの大きさに調節するフレームパッデング（ｆｒａｍｅ  ｐａｄｄｉｎｇ）をさらに含むことを特徴とする請求項１７に記載のデータ送信装置。
【請求項１９】
送信機と複数の端末間で通信する方法であって、
前記送信機において、前記各端末に送信する１つ以上のストリームを生成する段階を有し、
前記各々のストリームは、ＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）の同じ大きさを有することを特徴とする送信機と複数の端末間で通信する方法。
【請求項２０】
前記ＶＨＴ−ＬＴＦは、空間分割多元接続方式（ＳＤＭＡ）を用いてプリコードされることを特徴とする請求項１９に記載の送信機と複数の端末間で通信する方法。
【発明の詳細な説明】
【技術分野】
【０００１】
マルチユーザ多入力多出力システム（ＭＵ−ＭＩＭＯシステム）における、送信フレームに含まれるプリアンブル生成方法及びその方法が採用されたデータ送信装置と端末に関する。
【背景技術】
【０００２】
データスループット（ｔｈｒｏｕｇｈｐｕｔ）は、無線通信の重要な論点（ｉｓｓｕｅ）の１つである。特に、近距離通信網の場合、ユーザの数が大きく増加して、音声やビデオストリーミングなどのさまざまなアプリケーションの拡大などにより、スループットの向上がより重要な論点となっている。
【０００３】
データスループットを向上させるために、チャネルの帯域幅（ｂａｎｄｗｉｄｔｈ）を増やす方法を用いることができる。しかし、制限された周波数リソースにより、チャネルの使用帯域幅の拡張には限界がある。よって、近年では周波数リソースの増加なしでデータスループットを向上させるための多入力多出力技術（Ｍｕｌｔｉ−Ｉｎｐｕｔ  Ｍｕｌｔｉ−Ｏｕｔｐｕｔ；ＭＩＭＯ）が活発に研究されており、３ＧＰＰ  ＬＴＥ、ＩＥＥＥ８０２．１６ｅなどの移動通信、及び８０２．１１ｎなどの無線ＬＡＮの関連標準にも採択されて用いられている。
【０００４】
移動通信網に接続するユーザと適用アプリケーション数の増加によってユーザ分布及びユーザ間のトラフィック（ｔｒａｆｆｉｃ）特性が多様化している。また、適用アプリケーションとユーザ間のサービス品質（Ｑｕａｌｉｔｙ  ｏｆ  Ｓｅｒｖｉｃｅ；ＱｏＳ）の提供の重要性がより浮上している。それにより、広いチャネル帯域幅と多入力多出力技術の適用によって向上したデータスループットをユーザに柔軟に割り当てできる多重接続技術の開発が求められている。
【０００５】
近年、このような要求に伴って、単一送信装置が複数の端末（ＳＴＡｔｉｏｎｓ）に互いに異なるシグナルを同時に送信することによって、無線リソースを共有するマルチユーザ多入力多出力（Ｍｕｌｔｉ−Ｕｓｅｒ  Ｍｕｌｔｉ−Ｉｎｐｕｔ  Ｍｕｌｔｉ−Ｏｕｔｐｕｔ；ＭＵ−ＭＩＭＯ）技術が提案されている。
ＭＵ−ＭＩＭＯ方式は、次世代移動通信標準の８０２．１６ｍ及びＬＴＥ−Ａｄｖａｎｃｅｄ標準にも採択されただけでなく、次世代無線ＬＡＮ技術である８０２．１１ａｃ標準の適用にも肯定的に考慮されている。
【０００６】
本明細書では、ＭＵ−ＭＩＭＯ方式をサポートするフレームのプリアンブル（ｐｒｅａｍｂｌｅ）生成方法及びその構造の一実施形態を提案する。
提案されたプリアンブル構造を用いて各端末で空間分割多元接続（Ｓｐａｃｅ  Ｄｉｖｉｓｉｏｎａｌ  Ｍｕｌｔｉｐｌｅ  Ａｃｃｅｓｓ；ＳＤＭＡ）プリコーディングされたストリームのチャネル情報を推定してもよい。
【発明の概要】
【課題を解決するための手段】
【０００７】
本発明の一態様によれば、データ送信装置は、少なくとも１つ以上の端末に送信される少なくとも１つ以上の時空間ストリーム（Ｓｐａｃｅ  Ｔｉｍｅ  Ｓｔｒｅａｍ）に少なくとも１つのＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスを含めて送信し、前記ＶＨＴ−ＬＴＦシーケンスは、同時の送信される他のＶＨＴ−ＬＴＦシーケンスと同一の大きさを有することを特徴とする。
【０００８】
前記ＶＨＴ−ＬＴＦシーケンスは、前記端末に対して同一の直交行列を用いて構成されたものであることが好ましい。
前記ＶＨＴ−ＬＴＦシーケンスは、予め定めた条件を満足する直交行列を用いて生成され、前記直交行列の行又は列のうち少なくともいずれか１つの数は、前記端末の各々に送信される前記時空間ストリームの数と同一であることが好ましい。
前記直交行列の前記行又は前記列のうち少なくともいずれか１つは、予め定めた順序で作成されることが好ましい。
前記ＶＨＴ−ＬＴＦシーケンスは、予め定めた条件を満足する直交行列を用いて生成され、前記直交行列の行又は列のうち少なくともいずれか１つを用いて生成されることが好ましい。
前記時空間ストリームは、前記端末ごとに区分されるＶＨＴ−ＳＩＧ（ＶＨＴ−ｓｉｇｎａｌ）フィールドをさらに含み、前記ＶＨＴ−ＳＩＧフィールドは、空間分割多元接続方式（ＳＤＭＡ）でプリコードされることが好ましい。
前記ＶＨＴ−ＳＩＧフィールドは、前記端末に送信される前記時空間ストリームに含まれるデータフィールドの長さ情報を含むことが好ましい。
前記時空間ストリームは、データフィールドの基本送信単位を調整するためのフレームパッデング（ｆｒａｍｅ  ｐａｄｄｉｎｇ）をさらに含むことが好ましい。
前記時空間ストリームは、前記端末に対して共通するＶＨＴ−ＳＩＧフィールドをさらに含み、前記ＶＨＴ−ＳＩＧフィールドは前記ＶＨＴ−ＬＴＦシーケンスの長さ情報を含むことが好ましい。
前記時空間ストリームは、前記端末に対して共通するＬ−ＳＩＧ（Ｌｅｇａｃｙ  ｓｉｇｎａｌ）フィールドをさらに含み、前記Ｌ−ＳＩＧフィールドは、前記Ｌ−ＳＩＧフィールド以後フレームの長さ情報を含むことが好ましい。
【０００９】
本発明の他の一態様によれば、複数の送信機と端末を用いた通信方法は、各々の前記端末それぞれにＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）とデータフィールドを含む１つ以上のストリームを生成する段階と、各々の前記端末に前記１つ以上のストリームを送信する段階とを有し、前記１つ以上のストリームの内の少なくとも１つは、前記データフィールドの長さ情報を有するＶＨＴ−ＳＩＧ（ＶＨＴ−ｓｉｇｎａｌ）フィールドを含むことを特徴とする。
【００１０】
各々の前記ストリームの前記ＶＨＴ−ＬＴＦシーケンスの長さは同じであることが好ましい。
前記ＶＨＴ−ＬＴＦ、ＶＨＴ−ＳＩＧフィールド、及びデータフィールドは、空間分割多元接続方式（ＳＤＭＡ）を用いてプリコードされることが好ましい。
【００１１】
本発明の他の一態様によれば、ＭＵ−ＭＩＭＯにおける端末機での通信方法は、送信機からＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスとプリコードされたデータフィールドとを含む１つ以上のストリームを受信する段階と、前記ＶＨＴ−ＬＴＦ及びＶＨＴ−ＳＩＧ（ＶＨＴ−ｓｉｇｎａｌ）フィールドを用いて各ストリームのプリコードされたデータフィールドをデコードする段階とを有し、前記１つ以上のストリームの内の少なくとも１つは、前記データフィールドの長さ情報を有する前記ＶＨＴ−ＳＩＧフィールドを含むことを特徴とする。
【００１２】
前記ＶＨＴ−ＬＴＦの長さは、各ストリームで同じであることが好ましい。
前記ＶＨＴ−ＬＴＦ及びＶＨＴ−ＳＩＧフィールドは、プリコードされていることが好ましい。
【００１３】
本発明の他の一態様によれば、データ送信装置は、少なくとも１つ以上の端末に送信される少なくとも１つ以上の時空間ストリーム（Ｓｐａｃｅ  Ｔｉｍｅ  Ｓｔｒｅａｍ）に含まれる少なくとも１つのＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）シーケンスを生成する生成ユニットと、複数の前記時空間ストリームの少なくとも１つに同時に送信する送信ユニットとを有し、前記ＶＨＴ−ＬＴＦシーケンスは、前記送信された複数の前記時空間ストリームの他の時空間ストリームを含む他のＶＨＴ−ＬＴＦシーケンスと同じ大きさを有することを特徴とする。
【００１４】
前記少なくとも１つ以上の時空間ストリームは、少なくとも１つのＶＨＴ−ＬＴＦシーケンスの大きさに調節するフレームパッデング（ｆｒａｍｅ  ｐａｄｄｉｎｇ）をさらに含むことが好ましい。
【００１５】
本発明の他の一態様によれば、送信機と複数の端末間で通信する方法は、前記送信機において、前記各端末に送信する１つ以上のストリームを生成する段階を有し、前記各々のストリームは、ＶＨＴ−ＬＴＦ（Ｖｅｒｙ  Ｈｉｇｈ  Ｔｈｒｏｕｇｈｐｕｔ−Ｌｏｎｇ  Ｔｒａｉｎｉｎｇ  Ｆｉｅｌｄ）の同じ大きさを有することを特徴とする。
【００１６】
前記ＶＨＴ−ＬＴＦは、空間分割多元接続方式（ＳＤＭＡ）を用いてプリコードされることが好ましい。
【発明の効果】
【００１７】
本発明に係るマルチユーザ多入力多出力システムのプリアンブル生成方法及びその方法が採用されたデータ送信装置と端末によれば、ＭＵ−ＭＩＭＯシステムのチャネルの推定を効果的に行うことのでき、チャネルの推定オーバーヘッド（ｏｖｅｒｈｅａｄ）を最小化して、端末別に割り当てられた端末情報が知らされていなくても端末でチャネルの推定が可能であり、また、データ送信装置と端末間のチャネルの推定だけでなく、異なる端末に送信される干渉情報も推定することのできるという効果がある。
【図面の簡単な説明】
【００１８】
【図１】ＭＵ−ＭＩＭＯ（Ｍｕｌｔｉ−Ｕｓｅｒ  Ｍｕｌｔｉ−Ｉｎｐｕｔ  Ｍｕｌｔｉ−Ｏｕｔｐｕｔ）をサポートするフレーム構造の例を示す図である。
【図２】本発明に係るＭＵ−ＭＩＭＯ方式を利用したフレーム送信の一例を示す図である。
【図３】本発明に係るＭＵ−ＭＩＭＯをサポートするフレームの時空間ストリーム（ＳＴＳ）構造の例を示す図である。
【図４】本発明の一実施形態に係るデータ送信装置の構造の例を示すブロック図である。
【図５】本発明の一実施形態に係る端末の構造の例を示すブロック図である。
【図６】本発明の一実施形態に係るデータ送信装置のデータ送信方法の例を説明するためのフローチャートである。
【発明を実施するための形態】
【００１９】
以下、添付された図面に記載された内容を参照して本発明に係る実施形態を詳細に説明する。ただし、本発明が実施形態によって制限されたり限定されることはない。各図面に提示された同一の参照符号は同一の部材を示す。
【００２０】
本明細書では、ＭＵ−ＭＩＭＯをサポートするフレームのプリアンブル構造及び送信制御情報を開示する。
ＭＵ−ＭＩＭＯ通信システムは、空間分割多元接続方式（Ｓｐａｃｅ  Ｄｉｖｉｓｉｏｎ  Ｍｕｌｔｉｐｌｅ  Ａｃｃｅｓｓ；ＳＤＭＡ）を適用して１つの送信装置が１つ以上の端末（以下、ＳＴＡと記す）に１つ以上の互いに異なるフレームを同時に送信し得る。本明細書で一例として説明するプリアンブル構造を用いる場合、ＳＤＭＡプリコーディングされて同時に送信された様々な時空間ストリーム（ＳＴＳ）のチャネル情報を推定する。本明細書で説明されるプリアンブル構造は、１つ以上のアンテナを有する送信装置が１つ以上のアンテナを有する１つ以上のＳＴＡにフレームを送信するすべての通信システムに適用することができる。
【００２１】
図１は、ＭＵ−ＭＩＭＯをサポートするフレーム構造の例を示しており、現在、ＩＥＥＥ８０２．１１グループは、８０２．１１ａｃ標準化作業を進行している。
【００２２】
初めの３つのフィールド（Ｌ−ＳＩＧ、Ｌ−ＳＴＦ、Ｌ−ＬＴＦ）（１１１〜１１３）は、８０２．１１ｎ標準に含まれるレガシー（ｌｅｇａｃｙ）端末をサポートするフレーム構造の初めの３つのフィールドと同一である。
Ｌ−ＳＴＦ１１１は、レガシーショットトレーニングフィールド（Ｌｅｇａｃｙ  Ｓｈｏｒｔ  Ｔｒａｉｎｉｎｇ  Ｆｉｅｌｄ；Ｌ−ＳＴＦ）を、Ｌ−ＬＴＦ１１２は、レガシーロングトレーニングフィールド（Ｌｅｇａｃｙ  Ｌｏｎｇ  Ｔｒａｉｎｉｎｇ  Ｆｉｅｌｄ；Ｌ−ＬＴＦ）を、Ｌ−ＳＩＧフィールド１１３は、レガシー信号フィールド（Ｌｅｇａｃｙ  ＳＩＧｎａｌ  ｆｉｅｌｄ）を示す。
上記３つのフィールド（１１１〜１１３）は、ＭＵ−ＭＩＭＯをサポートする端末だけでなく、ＭＵ−ＭＩＭＯをサポートできないレガシー端末（ＩＥＥＥ８０２．１１ａ／ｇ／ｎなど）も本発明に係るフレームの一部を受信できるようにする。
特に、Ｌ−ＳＩＧフィールド１１３は、レガシー端末も該当フレームの長さ情報を把握できるようにＶＨＴ−ＳＩＧ１フィールド１１４からフレームの終わりの部分までのフレーム長さ情報を含む。
【００２３】
ＶＨＴ（Ｖｅｒｙ  Ｈｉｇｈ  Ｔｈｒｏｕｇｈｐｕｔ）−ＳＩＧ１（１１４）は、ＭＵ−ＭＩＭＯをサポートする８０２．１１ａｃ端末（ＳＴＡｓ）のために送信されるシグナルフィールドとして、現在の送信されているフレームに共通して該当する共通制御情報を含む。
ＶＨＴ−ＳＩＧ１（１１４）以後のフィールド（プリコードされたデータ）１１０は、プリコーディング（ｐｒｅｃｏｄｉｎｇ）されて各ＳＴＡに送信され、プリコーディングはＳＤＭＡ（Ｓｐａｃｅ  Ｄｉｍｅｎｓｉｏｎ  Ｍｕｌｔｉｐｌｅ  Ａｃｃｅｓｓ）方式で行われる。
【００２４】
ＶＨＴ−ＳＴＦ（１２１）は、ＭＵ−ＭＩＭＯをサポートするＳＴＡの電力増幅器の自動利得調節（Ａｕｔｏｍａｔｉｃ  Ｇａｉｎ  Ｃｏｎｔｒｏｌ；ＡＧＣ）設定を助けるためのプリアンブルである。
送信される時空間ストリーム（Ｓｐａｃｅ  Ｔｉｍｅ  Ｓｔｒｅａｍ；以下、ＳＴＳと記す）の数と同一の数のＶＨＴ−ＳＴＦ（１２１）が送信され、データフィールドに適用されるＳＤＭＡ方式と同一のプリコーディングが適用されて各ＳＴＡに送信される。
【００２５】
ＶＨＴ−ＬＴＦ１〜ＶＨＴ−ＬＴＦＮ（ＶＨＴ−ＬＴＦｓ）（１２２〜１２３）は、ＭＵ−ＭＩＭＯシステムのチャネルの推定のためのプリアンブルである。ここでは、図２を用いて、以下の２つの例で説明するが、これは本発明の一実施形態にすぎず、本発明の範囲がこれらに制限されることはない。以下、各実施形態を図２を参照しながら詳細に説明する。
【００２６】
図２は、本発明に係るＭＵ−ＭＩＭＯ方式を利用したフレーム送信の一例を示す図である。
図２を参照すると、アクセスポイント（Ａｃｃｅｓｓ  Ｐｏｉｎｔ；ＡＰ）２１０は、ＮＴＸ個の送信アンテナ（２１１、２１２）を有し、プリコーディング部２１３を介してプリコードされたフレームをＳＴＡ１〜ＳＴＡ３（２２０、２３０、２４０）に送信する一例を示している。ＳＴＡ１（２２０）は受信アンテナが１つ（２２１）で、ＳＴＡ２（２３０）は受信アンテナが２つ（２３１、２３２）で、ＳＴＡ３（２４０）は受信アンテナが３つ（２４１〜２４３）である実施形態を示す。
【００２７】
ＡＰ（２１０）の送信アンテナ（２１１、２１２）において、送信されたフレームは多様なチャネル（ｈ１１〜ｈＮ６）を経由して各ＳＴＡ（２２０、２３０、２４０）の受信アンテナ（２２１、２３１、２３２、２４１、２４２、２４３）で受信される。
図２において、ＡＰ（２１０）は、ＳＴＡ１（２２０）、ＳＴＡ２（２３０）、及びＳＴＡ３（２４０）に各１、２、３個のＳＴＳを送信すると仮定する。
ここで、１つのＳＴＡ（２２０、２３０、２４０）に送信されるＳＴＳの最大値は３（ＳＴＡ３（２４０）の３個のＳＴＳ）であり、ＳＴＳの合計（ｓｕｍ）は６（ＳＴＡ１（２２０）の１個＋ＳＴＡ２（２３０）の２個＋ＳＴＡ３（２４０）の３個）である。
【００２８】
［実施例１：各ＳＴＡ別のＳＴＳの個数の最大値に依存するＬＴＦ構造］
実施例１は、ＶＨＴ−ＬＴＦ１〜ＶＨＴ−ＬＴＦＮ（１２２〜１２３）が各ＳＴＡに送信されるＳＴＳの個数の最大値に依存するように（ｄｅｐｅｎｄｅｎｔ）設計されたＶＨＴ−ＬＴＦ構造に関する。
実施例１の場合、プリアンブルのオーバーヘッド（ｏｖｅｒｈｅａｄ）が少ない。
【００２９】
実施例１に係るＶＨＴ−ＬＴＦ１〜ＶＨＴ−ＬＴＦＮ（１２２〜１２３）の一例は、下の数式１で表すことができる。
【００３０】
【数１】
2013517663.tif 000003
【００３１】
数式１において、ＶＨＴ−ＬＴＦｎは、ｎ番目のタイムスロットに送信される長さがＮＳＴＳであるＶＨＴ−ＬＴＦの列（ｃｏｌｕｍｎ）ベクトルであり、Ｕ１は大きさがＮ１×Ｎ１である直交（ｏｒｔｈｏｇｏｎａｌ）行列（ｍａｔｒｉｘ）を、Ｕ１（ｌ）はＵ１のｌ番目の行を、ｔｉは各ＶＨＴ−ＬＴＦタイムスロットに適用されるトレーニング系列（ｔｒａｉｎｉｎｇ  ｓｅｑｕｅｎｃｅ）をそれぞれ意味する。
また、Ｋはフレームが送信されるＳＴＡの総数であり、ＮＳＴＳ（ｉ）はｉ番目のＳＴＡに送信される時空間ストリーム（ＳＴＳ）の数を、ＮＳＴＳは送信されるＳＴＳの総数を、Ｎ１は送信されるＶＨＴ−ＬＴＦのタイムスロット（ｔｉｍｅ−ｓｌｏｔ）の個数である。
【００３２】
数式１に示すように、Ｐ行列の各行（ｒｏｗ）はＵ１行列から得られ、各ＳＴＡに送信されるＳＴＳの数によってその形態が決定される。ｉ番目のＳＴＡに該当するＰ行列の行はＵ１のＮＳＴＳ（ｉ）個の行で構成される。
【００３３】
実施例１のＶＨＴ−ＬＴＦ構造が図２に適用される場合、図２に示すように、３つのＳＴＡ（２２０、２３０、２４０）が存在し、各対応するＳＴＡごとに各々１、２、及び３つのＳＴＳを送信する。
上記で説明した数式１において、Ｕ１行列を下記の数式２のような４×４ウォルシュアダマール（Ｗａｌｓｈ−Ｈａｄａｍａｒｄ）行列を用いると仮定する。
【００３４】
【数２】
2013517663.tif 000004
【００３５】
数式２において、Ｕ１行列はユニタリ（ｕｎｉｔａｒｙ）行列であり、ＳＴＡ３（２４０）に送信されるＳＴＳの個数が３であるため、最大値の３によって４×４行列で表現することができる。
この場合、ＶＨＴ−ＬＦＴの構造は、下記の数式３で表すことができる。
【００３６】
【数３】
2013517663.tif 000005
【００３７】
上記数式３の下段右側の６×４行列において、最初の行（ｒｏｗ）はＳＴＡ１（２２０）、２番目及び３番目の行はＳＴＡ２（２３０）、残りの３行はＳＴＡ３（２４０）を各々サポートする行である。
上記で説明した方式によって、各ＳＴＡ（２２０、２３０、２４０）に送信するＳＴＳに含まれるＶＨＴ−ＬＴＦシーケンスを構成する。
ＶＨＴ−ＬＴＦシーケンスは、すべてのＳＴＡに対して同一の直交行列を用いて構成される。また、各ＳＴＡのＶＨＴ−ＬＴＦシーケンス構成のために用いられる直交行列の行又は列の個数は、各ＳＴＡ（２２０、２３０、２４０）に送信されるＳＴＳの個数と同一になり、直交行列の行又は列は予め決められた順序に従ってもよい。
【００３８】
上述した本発明に係る実施例１の場合、各ＳＴＡ（２２０、２３０、２４０）は１つの直交行列Ｕ１の特定行を共有する。
即ち、各ＳＴＡ（２２０、２３０、２４０）はＳＴＳ割り当て（ａｌｌｏｃａｔｉｏｎ）に関する情報がなくてもＶＨＴ−ＳＩＧ２フィールドをデコードすることができ、これによってＳＴＳ割り当てを記述するためのＶＨＴ−ＳＩＧ１の要求されるビット値を減らすことができる。
【００３９】
実施例１のＶＨＴ−ＬＴＦ構造を用いる実際の適用例を図２を参照しながら詳細に説明する。
ＡＰ（２１０）で各送信アンテナ（２１１、２１２）を介して送信される送信シグナル（Ｔｘ＿ｓｉｇｎａｌｓ）は、下記の数式４で表すことができる。
【００４０】
【数４】
2013517663.tif 000006
【００４１】
数式４において、Ｑｋはｋ番目のＳＴＡのためのＮＴＸ×ＮＳＴＳ［ｋ］ＳＤＭＡステアリング（ｓｔｅｅｒｉｎｇ）行列であり、ＮＴＸは送信アンテナの個数である。
【００４２】
各ＳＴＡ（２２０、２３０、２４０）で受信した受信シグナル（ｒｘ＿ｓｉｇｎａｌ）は、下記の数式５で表すことができる。
【００４３】
【数５】
2013517663.tif 000007
【００４４】
ＳＴＡ２（２３０）の例を挙げれば、Ｙ２、Ｙ３がＳＴＡ２（２３０）の受信信号に該当する。ＳＴＡ２（２３０）は、ＳＤＭＡが適用されたプリコードされたデータ１１０のチャネルを推定するために、下記の数式６と同じように受信信号Ｙ２、Ｙ３に対してトランスポーズ（ｔｒａｎｓｐｏｓｅ）演算をしてユニタリ行列Ｕ１とかける。
【００４５】
【数６】
2013517663.tif 000008
【００４６】
数式６に示すように、ＳＴＡ２（２３０）はｈ２１及びｈ２２の等価チャネル値を得ることができ、これによって得られたチャネル値を用いてＳＴＡ２（２３０）に該当するＶＨＴ−ＳＩＧ２（１３１）とＶＨＴ−ＤＡＴＡ（１４１）を復元する。
【００４７】
［実施例２：各ＳＴＡ別のＳＴＳの個数の合計に依存するＬＴＦ構造］
実施例２は、ＶＨＴ−ＬＴＦ１〜ＶＨＴ−ＬＴＦＮ（１２２〜１２３）が各ＳＴＡに送信されるＳＴＳの個数の合計に依存するように設計されたＶＨＴ−ＬＴＦ構造に関する。
実施例２の場合、プリアンブルのオーバーヘッドを実施例１より大きくして、各ＳＴＡ（２２０、２３０、２４０）間の干渉（ｉｎｔｅｒｆｅｒｅｎｃｅ）を考慮できるように設計したものである。
【００４８】
実施例２に係るＶＨＴ−ＬＴＦ１〜ＶＨＴ−ＬＴＦＮ（１２２〜１２３）の一例は、下記の数式７で表すことができる。
【００４９】
【数７】
2013517663.tif 000009
【００５０】
数式７において、ＶＨＴ−ＬＴＦｎはｎ番目のタイムスロットに送信される長さがＮＳＴＳであるＶＨＴ−ＬＴＦ列ベクトルであり、Ｕ２は大きさがＮ２×Ｎ２である直交行列を、Ｕ２（ｌ）はＵ２のｌ番目の行を、ｔｉは各ＶＨＴ−ＬＴＦタイムスロットに適用されるトレーニング系列をそれぞれ意味する。Ｎ２は、ＮＳＴＳ以上の値を有する。ここで、ＮＳＴＳは送信されるＳＴＳの総数、Ｎ２は送信されるＶＨＴ−ＬＴＦのタイムスロットの個数をそれぞれ意味する。
【００５１】
数式７に記載したように、Ｐ行列はＵ２行列のＮＳＴＳ行で構成される。
数式７のＶＨＴ−ＬＴＦ構造は、上記で説明した数式１の構造に比べて相対的にさらに多くのチャネルの推定オーバーヘッドを要求する。また、ＳＴＡはＰ行列のある行が自身に属する行であるかを予め知っておく必要がある。
数式７で表現されるＶＨＴ−ＬＴＦ構造は、すべてのＳＴＳに該当するＶＨＴ−ＬＴＦ  ＳＴＳが互いに直交性（ｏｒｔｈｏｇｏｎａｌｉｔｙ）を有するために、より正確なチャネルの推定が可能であり、異なるＳＴＡに送信されるＳＴＳからの干渉信号情報も推定することができる。
【００５２】
実施例２のＶＨＴ−ＬＴＦ構造が図２に適用される場合を説明する。
図２に示すように、３つのＳＴＡ（２２０、２３０、２４０）が存在し、各ＳＴＡ別の各々１、２、及び３つのＳＴＳを送信する。
上記で説明した数式７において、Ｕ２行列を下記の数式（８）のような８×８ウォルシュアダマール（Ｗａｌｓｈ−Ｈａｄａｍａｒｄ）行列を用いると仮定する。
【００５３】
【数８】
2013517663.tif 000010
【００５４】
数式８において、Ｕ２行列は、ユニタリ行列であり、送信されるＳＴＳの合計が６であるため、６をサポートする２Ｎ正方として８×８行列で表現することができる。
この場合、ＶＨＴ−ＬＦＴの構造は、下記の数式９で表すことができる。
【００５５】
【数９】
2013517663.tif 000011
【００５６】
数式９の下段右側の６×８行列であり、最初の行（ｒｏｗ）はＳＴＡ１（２２０）のＹ１、２番目及び３番目の行はＳＴＡ２（２３０）のＹ２及びＹ３、残りの３行はＳＴＡ３（２４０）のＹ４〜Ｙ６を各々サポートする行である。
【００５７】
上記、説明した方式によって、各ＳＴＡ（２２０、２３０、２４０）に送信するＳＴＳに含まれるＶＨＴ−ＬＴＦシーケンスを構成する。特に、ＶＨＴ−ＬＴＦシーケンスを１つの直交行列の互いに異なる行又は列を用いて構成する。
【００５８】
上述した本発明に係る実施例２の場合、各ＳＴＡ（２２０、２３０、２４０）は、１つの直交行列Ｕ２の互いに異なる行を用いる。また、各ＳＴＡ（２２０、２３０、２４０）は、異なるＳＴＡが該当ＳＴＡに及ぼす干渉を推定してもよい。また、どのＳＴＳがどのＳＴＡに割り当てられるかを識別する必要があるが、この識別方法はさまざまな方法を用いることができるため、詳細な説明は省略する。
【００５９】
上述した本発明に係る実施例１及び実施例２で用いた数式２及び数式８は、Ｕ１及びＵ２行列でウォルシュアダマール行列を利用したが、Ｎ１及びＮ２の大きさの条件を満たすどんな形態の直交行列を用いてもよい。
【００６０】
実施例１及び実施例２で説明したＶＨＴ−ＬＴＦは、ＳＤＭＡプリコードされてＳＴＡに送信される。
【００６１】
図３は、本発明に係るＭＵ−ＭＩＭＯをサポートするフレームの時空間ストリーム（ＳＴＳ）構造を示す図である。
【００６２】
図３を参照すると、Ｋはフレームが送信されるＳＴＡ（端末）の総数であり、ＮＳＴＳ（ｉ）はｉ番目のＳＴＡに送信される時空間ストリーム（ＳＴＳ）の数を、ＮＳＴＳは送信されるＳＴＳの総数、ｍａｘＮＳＴＳ（ｉ）はＮＳＴＳ（１）からＮＳＴＳ（Ｋ）のうちの最大値を示す。Ｎ１とＮ２は、送信されるＶＨＴ−ＬＴＦのタイムスロットの個数である。
【００６３】
図３に示すフレームは、Ｋ個のＳＴＡをサポートする構成の一例である。
フレームは、複数のＳＴＳ（３４０、３５０、３６０）を含む。図３に示すＳＴＳ（３４０、３５０、３６０）のうち第１ＳＴＳ（３４０）はＳＴＡ１に送信され、第２ＳＴＳ（３５０）はＳＴＡ２に送信され、第ＫＳＴＳ（３６０）はＳＴＡＫに送信される。
各ＳＴＡに送信されるフレームの長さは互いに異なってもよい。このような長さ情報は、Ｌ−ＳＩＧフィールド３１３、ＶＨＴ−ＳＩＧ１フィールド３１４、又はＶＨＴ−ＳＩＧ２（３３１、３５１、３６１）のうち少なくともいずれか１つのフィールドに含まれ得る。これに対しては下記にて詳細に説明する。
【００６４】
Ｌ−ＳＴＦ３１１、Ｌ−ＬＴＦ３１２、Ｌ−ＳＩＧフィールド３１３、及びＶＨＴ−ＳＩＧ１フィールド３１４は、プリコードされず各ＳＴＡに送信される。各ＳＴＡは、Ｌ−ＳＴＦ３１１を用いて受信フレームを検出し、電力増幅器の利益値を設定する。また、受信フレームに対する時間同期（ｔｉｍｅ  ｓｙｎｃｈｒｏｎｉｚａｔｉｏｎ）を推定して、周波数オフセット（ｏｆｆｓｅｔ）を推定する。
【００６５】
各ＳＴＡは、Ｌ−ＬＴＦ３１２を用いて精密に周波数オフセットを推定する。また、Ｌ−ＳＩＧフィールド３１３は、レガシー端末も該当フレームの長さ情報を把握できるようにＶＨＴ−ＳＩＧ１フィールド３１４からフレームの終わりの部分までのフレーム長さ情報を含む。
【００６６】
各ＳＴＡは、ＶＨＴ−ＳＩＧ１フィールド３１４を用いて現在の送信されるフレームに対する共通制御情報を検出する。
共通制御情報は、現在のフレームに適用されたプリコーディング方式、現在のフレームがサポートするＳＴＡの個数及びＳＴＳの個数、ＶＨＴ−ＬＴＦｓ（３２２〜３２３）の区間、あるいは長さ情報と形式情報、あるいはその一部の内容で構成されうる。  本発明の実施形態によれば、長さ情報は、現在のフレームの最大データフィールドの長さ情報であってもよい。
【００６７】
プリコードされたデータ３１０は、特定ＳＴＡに対してプリコードされ、特定ＳＴＡでデコードされる。各ＳＴＳ（３４０、３５０、３６０）に含まれるプリコードされたデータ３１０は、ＶＨＴ−ＳＴＦ３２１、ＶＨＴ−ＬＴＦｓ（３２２〜３２３）、各ＳＴＡのためのＶＨＴ−ＳＩＧ２フィールド（３３１、３５１、３６１）及び各ＳＴＡに送信されるＶＨＴ−ＤＡＴＡフィールド（３４１及び３４２、３５２及び３５３、３６２及び３６３）を含む。
【００６８】
ＶＨＴ−ＳＴＦ３２１は、多重アンテナの自動利得制御（Ａｕｔｏｍａｔｉｃ  Ｇａｉｎ  Ｃｏｎｔｒｏｌ；ＡＧＣ）性能を改善するためのトレーニングシグナル（ｔｒａｉｎｉｎｇ  ｓｉｇｎａｌ）を含む。
各ＳＴＡは、ＶＨＴ−ＳＴＦ３２１を用いてプリコードされた信号に適合した電力増幅器（ｐｏｗｅｒ  ａｍｐｌｉｆｉｅｒ）の利得値を精密に設定してもよい。
【００６９】
各ＳＴＡは、ＶＨＴ−ＬＴＦｓ（３２２〜３２３）を用いてプリコードされた各ＳＴＡのためのＶＨＴ−ＳＩＧ２フィールド（３３１、３５１、３６１）、及び各ＳＴＡに送信されるＶＨＴ−ＤＡＴＡフィールド（３４１及び３４２、３５２及び３５３、３６２及び３６３）をデコードするためにチャネルを推定する。
【００７０】
このようなＶＨＴ−ＬＴＦｓ（３２２〜３２３）の構造は、図１及び図２を参照して説明した実施例１又は実施例２のうちのいずれか１つであってもよく、また、これらの単純変形及び修正例であってもよい。
ＶＨＴ−ＬＴＦｓ（３２２〜３２３）には上述した実施例１及び実施例２で説明したＶＨＴ−ＬＴＦシーケンス（ｓｅｑｕｅｎｃｅ）のうち少なくとも一部（行列のうち各ＳＴＡをサポートする少なくとも１つの行（ｒｏｗ）または列（ｃｏｌｕｍｎ）が含まれる。
【００７１】
特に、実施例１で説明したように、ＶＨＴ−ＬＴＦシーケンスはすべてのＳＴＡに対して同一の直交行列を用いて構成してもよい。また、各ＳＴＡのＶＨＴ−ＬＴＦシーケンス構成のために用いられる直交行列の行又は列の個数は、各ＳＴＡに送信されるＳＴＳの個数と同一であってもよく、直交行列の行又は列は予め決められた順序に従ってもよい。また、実施例２で説明したように、すべてのＶＨＴ−ＬＴＦシーケンスを１つの直交行列の互いに異なる行又は列を用いて構成してもよい。
【００７２】
各ＳＴＡに送信されるＶＨＴ−ＤＡＴＡフィールド（３４１及び３４２、３５２及び３５３、３６２及び３６３）の個数Ｎは、送信されるＳＴＳの個数によって決定される。
各ＳＴＡに送信されるＶＨＴ−ＤＡＴＡフィールド（３４１及び３４２、３５２及び３５３、３６２及び３６３）の長さは、互いに異なってもよい。
各ＳＴＡ別のＶＨＴ−ＤＡＴＡフィールド（３４１及び３４２、３５２及び３５３、３６２及び３６３）の終わりの部分は、誤り訂正符号のテールビット（ｔａｉｌ  ｂｉｔ）でパッデング（ｐａｄｄｉｎｇ）してもよい。
また、各ＳＴＡ別のＶＨＴ−ＤＡＴＡフィールド（３４１及び３４２、３５２及び３５３、３６２及び３６３）の終わりの部分は、畳み込み符号（Ｃｏｎｖｏｌｕｔｉｏｎａｌ  Ｃｏｄｅ；ＣＣ）のテールビットをさらに含んでもよい。
また、ＶＨＴ−ＤＡＴＡフィールド（３４１及び３４２、３５２及び３５３、３６２及び３６３）の基本送信単位を合わせるためにフレームパッデング（ｆｒａｍｅ  ｐａｄｄｉｎｇ）を挿入してもよい。
一例として、ＯＦＤＭ変調方式を適用する場合、基本単位はＯＦＤＭのシンボル単位であってもよい。
【００７３】
各ＳＴＡは、各ＳＴＡのためのＶＨＴ−ＳＩＧ２フィールド（３３１、３５１、３６１）を各々受信してＳＴＡに送信するフレームの個別制御情報を検出する。
個別制御情報は該当ＳＴＡに送信されるＶＨＴ−ＤＡＴＡフィールド（３４１及び３４２、３５２及び３５３、３６２及び３６３）の長さ情報、ＶＨＴ−ＤＡＴＡフィールド（３４１及び３４２、３５２及び３５３、３６２及び３６３）に適用された変調及びコーディング方式（Ｍｏｄｕｌａｔｉｏｎ  ａｎｄ  Ｃｏｄｉｎｇ  Ｓｃｈｅｍｅ）情報、使用するチャネルの帯域幅、チャネル平滑化（ｓｍｏｏｔｈｉｎｇ）関連情報、チャネルアグリゲーション（ａｇｇｒｅｇａｔｉｏｎ）関連情報、誤り訂正符号、保護区間（ｇｕａｒｄ  ｉｎｔｅｒｖａｌ）の長さ、現在のフレームに適用されたプリコーディング方式と関連する情報、及びこれら情報の組み合わせのうち少なくとも１つ以上を含み得る。
ＶＨＴ−ＳＩＧ２フィールド（３３１、３５１、３６１）は、ＳＴＡ別の個別制御情報を含む。
【００７４】
ＳＴＡ１は、第１ＳＴＳ（３４０）に含まれるプリコードされたデータ３１０をデコードし、ＳＴＡ２は第２ＳＴＳ（３５０）に含まれるプリコードされたデータ３１０をデコードして、ＳＴＡＫは第ＫＳＴＳ（３６０）に含まれるプリコードされたデータ３１０をデコードする。
【００７５】
図４は、本発明の一実施形態に係るデータ送信装置の構造の例を示すブロック図である。
図４に示すデータ送信装置は、ＩＥＥＥ８０２．１１ａｃに係るアクセスポイント（ＡＰ）であってもよい。
【００７６】
データ送信装置４００は、Ｌ−ＳＴＦ生成部４１１、Ｌ−ＬＴＦ生成部４１２、ＶＨＴ−ＳＩＧ１生成部４１３、ＶＨＴ−ＳＴＦ生成部４２０、ＶＨＴ−ＳＩＧ２生成部４３０、ＶＨＴ−ＬＴＦ生成部４４０、制御部４５０、プリコーディング部４６０、及び送信部４７０を含む。本発明に係るデータ送信装置４００は、レガシー（ｌｅｇａｃｙ）端末をサポートするためのＬ−ＳＩＧ生成部（図示されない）をさらに含んでもよい。
【００７７】
Ｌ−ＳＴＦ生成部４１１は、Ｌ−ＳＴＦを生成する。
ＳＴＡは、フレームに含まれるＬ−ＳＴＦを用いてデータ送信装置４００から送信されたフレームを検出する。ＳＴＡは、Ｌ−ＳＴＦを用いて現在のフレームに対する時間同期を合わせたり概略的な周波数オフセットを推定する。
【００７８】
Ｌ−ＬＴＦ生成部４１２は、Ｌ−ＬＴＦを生成する。
ＳＴＡは、Ｌ−ＬＴＦを用いて周波数オフセットを精密に推定したり、プリコードされない共通制御情報を受信する。
【００７９】
ＶＨＴ−ＳＩＧ１生成部４１３は、ＳＴＡに対する共通制御情報を含むＶＨＴ−ＳＩＧ１フィールドを生成する。
共通制御情報は、データ送信装置４００のカバレッジ内に位置するすべてのＳＴＡに送信される制御情報として、プリコードされずに送信される。共通制御情報は、フレームに対する共通の制御情報を含む。共通制御情報は、現在のフレームに適用されたプリコーディング方式、フレームがサポートするＳＴＡの個数、トレーニング信号に関する情報、現在のフレームの最大データフィールドの長さ情報などを含む。
【００８０】
ＶＨＴ−ＳＴＦ生成部４２０は、ＶＨＴ−ＳＴＦを生成する。
ＳＴＡは、ＶＨＴ−ＳＴＦを用いて多重アンテナの自動利得制御（Ａｕｔｏｍａｔｉｃ  Ｇａｉｎ  Ｃｏｎｔｒｏｌ；ＡＧＣ）を行う。
【００８１】
ＶＨＴ−ＳＩＧ２生成部４３０は、各ＳＴＡ各々に対する個別制御情報を含むＶＨＴ−ＳＩＧ２フィールドを生成する。
個別制御情報は、各ＳＴＡに従って個別的に決定される制御情報として、該当ＳＴＡに送信されるＶＨＴ−ＤＡＴＡフィールドの長さ情報、ＶＨＴ−ＤＡＴＡフィールドに適用された変調及びコーディング方式情報、使用するチャネルの帯域幅、チャネル平滑化関連情報、チャネルアグリゲーション関連情報、誤り訂正符号、保護区間の長さ、現在のフレームに適用されたプリコーディング方式と関連する情報及びこれらの組み合わせのうち少なくとも１つ以上を含み得る。
【００８２】
ＶＨＴ−ＬＴＦ生成部４４０は、各ＳＴＡ別にチャネルを推定するのに用いられるＶＨＴ−ＬＴＦを生成する。
このようなＶＨＴ−ＬＴＦの構造は、図１及び図２を参照して説明した実施例１又は実施例２のうちのいずれか１つであってもよく、また、これらの単純変形及び修正例であってもよい。各ＳＴＡに送信されるＶＨＴ−ＤＡＴＡフィールドの個数Ｎは、送信されるＳＴＳの個数によって決定される。
【００８３】
制御部４５０は、各ＳＴＡに送信されるＳＴＳの個数を決定し、ＳＴＳの個数を考慮して各ＳＴＳに含まれるＶＨＴ−ＤＡＴＡフィールドの個数を決定する。
【００８４】
プリコーディング部４６０は、個別制御情報及び各端末機に対するデータをプリコードしてプリコーディングデータを生成する。プリコーディングデータは、各端末機に送信されるか、各端末機は自身に対しプリコードされたプリコーディングデータだけをデコードする。
【００８５】
プリコーディング部４６０は、ＶＨＴ−ＳＴＦ生成部４２０、ＶＨＴ−ＳＩＧ２生成部４３０、及びＶＨＴ−ＬＴＦ生成部４４０で生成されたＶＨＴ−ＳＴＦ、ＶＨＴ−ＳＩＧ２フィールド、及びＶＨＴ−ＬＴＦをプリコードしてプリコードされたデータを生成する。
【００８６】
送信部４７０は、１つ以上の送信アンテナ（４７１、４７２、４７３）を介して１つ以上のＳＴＳを１つ以上のＳＴＡに送信する。
【００８７】
図５は、本発明の一実施形態に係る端末（ＳＴＡ）の構造の例を示すブロック図である。
ＳＴＡ（５００）は、受信部５６０、Ｌ−ＳＴＦ検出部５１１、第１チャネル推定部５１２、ＶＨＴ−ＳＩＧ１デコーディング部５１３、電力増幅器制御部５２０、第２チャネル推定部５３０、データデコーディング部５４０、ＶＨＴ−ＳＩＧ２デコーディング部５５０を含む。
【００８８】
受信部５６０は、１つ以上の受信アンテナ５６１を介してデータ送信装置４００からフレームを受信する。
フレームは、ＳＴＳを含む。ＳＴＳは、Ｌ−ＳＴＦ、Ｌ−ＬＴＦ、ＶＨＴ−ＳＩＧ１フィールド、及びプリコードされたデータを含み得る。データ送信装置４００は、１つ以上の送信アンテナ（４７１、４７２、４７３）を用いてＳＴＳをＳＴＡ（５００）に送信する。
【００８９】
Ｌ−ＳＴＦ検出部５１１は、Ｌ−ＳＴＦからデータ送信装置４００で送信されたシグナルを検出する。
Ｌ−ＳＴＦ検出部５１１は、Ｌ−ＳＴＦを読み出して概略的な自動利得制御を行って、概略的な周波数オフセットを推定し、現在のフレームに対する時間同期を合わせる。
【００９０】
第１チャネル推定部５１２は、Ｌ−ＬＴＦを読み出して周波数オフセットを精密に推定する。
また、第１チャネル推定部５１２は、ＳＴＡ（５００）がレガシー端末の場合、共通制御情報をデコードするためにチャネルを推定する。
【００９１】
ＶＨＴ−ＳＩＧ１デコーディング部５１３は、共通制御情報が含まれたＶＨＴ−ＳＩＧ１フィールドをデコードする。
共通制御情報は、データ送信装置４００のカバレッジ内に位置する１つ以上のＳＴＡ（５００）でデコーディング可能な制御情報として、現在のフレームに適用されたプリコーディング方式、現在のフレームがサポートするＳＴＡの個数及びＳＴＳの個数、ＶＨＴ−ＬＦＴの区間あるいは長さ情報と形式情報及びこれらの組み合わせのうちの１つ以上で構成されうる。
【００９２】
電力増幅器制御部５２０は、ＶＨＴ−ＳＴＦを読み出して電力増幅器の利得を精密に制御する。
【００９３】
第２チャネル推定部５３０は、ＶＨＴ−ＬＴＦを読み出してデータ送信装置４００とＳＴＡ（５００）との間のチャネルを推定する。
ＶＨＴ−ＬＴＦの構造は、図１及び図２を参照して説明した実施例１又は実施例２のうちのいずれか１つであってもよく、また、これらの単純変形及び修正例であってもよい。各ＳＴＡに送信されるＶＨＴ−ＤＡＴＡフィールドの個数Ｎは、送信されるＳＴＳの個数によって決定される。
【００９４】
ＶＨＴ−ＳＩＧ２デコーディング部５５０は、ＶＨＴ−ＳＩＧ２フィールドを読み出してＶＨＴ−ＳＩＧ２フィールドに含まれる個別制御情報をデコードする。
個別制御情報は、各ＳＴＡに従って個別的に決定される制御情報として、該当ＳＴＡに送信されるＶＨＴ−ＤＡＴＡフィールドの長さ情報、ＶＨＴ−ＤＡＴＡフィールドに適用された変調及びコーディング方式情報、使用するチャネルの帯域幅、チャネル平滑化関連情報、チャネルアグリゲーション関連情報、誤り訂正符号、保護区間の長さ、現在のフレームに適用されたプリコーディング方式と関連する情報及びこれらの組み合わせのうち少なくとも１つ以上を含み得る。
【００９５】
データデコーディング部５４０は、第２チャネル推定部５３０でのチャネルの推定結果及びＶＨＴ−ＳＩＧ２デコーディング部５５０でデコードされた個別制御情報を用いてＳＴＳに含まれるデータをデコードする。
【００９６】
図６は、本発明の一実施形態に係るデータ送信装置のデータ送信方法の例を説明するためのフローチャートである。
【００９７】
ステップＳ６０１において、データ送信装置は、Ｌ−ＳＴＦに記録するＬ−ＳＴＦ値を生成する。
ＳＴＡは、フレームに含まれるＬ−ＳＴＦを読み出してデータ送信装置で送信されたフレームを検出し、概略的な周波数オフセットを推定して、現在のフレームに対する時間同期を合わせる。
【００９８】
ステップＳ６０２において、データ送信装置はＬ−ＬＴＦに記録するＬ−ＬＴＦ情報を生成する。
ＳＴＡは、Ｌ−ＬＴＦを読み出してチャネルを推定し、チャネルの推定結果を用いてプリコードされていない情報をデコードする。
【００９９】
ステップＳ６０３において、データ送信装置は、ＶＨＴ−ＳＩＧ１フィールドに記録するＶＨＴ−ＳＩＧ１情報を生成する。
ＶＨＴ−ＳＩＧ１フィールドに含まれる共通制御情報は、データ送信装置から送信されるフレームに対する制御情報を含む。
【０１００】
ステップＳ６０４において、データ送信装置は、ＶＨＴ−ＳＴＦに記録するＶＨＴ−ＳＴＦ情報を生成する。
ＳＴＡは、ＶＨＴ−ＳＴＦ情報を用いて自動利得制御を精密に実行する。
【０１０１】
ステップＳ６０５において、データ送信装置は、ＶＨＴ−ＳＩＧ２フィールドに記録するＶＨＴ−ＳＩＧ２情報を生成する。
ＶＨＴ−ＳＩＧ２フィールドに含まれる個別制御情報は、各ＳＴＡに対して個別的に生成された制御情報である。
【０１０２】
ステップＳ６０６において、データ送信装置は、ＶＨＴ−ＬＴＦに記録するＶＨＴ−ＬＴＦ情報を生成する。
ＳＴＡは、ＶＨＴ−ＬＴＦを読み出してチャネルを推定し、チャネルの推定結果を用いてプリコードされた信号又はプリコードされた情報をデコードする。
【０１０３】
ステップＳ６０７において、データ送信装置は、ステップＳ６０４〜ステップＳ６０６で生成した情報及び各ＳＴＡに送信するデータをプリコードしてプリコーディングデータを生成する。
【０１０４】
ステップＳ６０８において、データ送信装置は、ステップＳ６０１〜ステップＳ６０３で生成した情報及びステップＳ６０７で生成したプリコーディングデータを含むフレームを１つ以上のＳＴＡに送信する。
データ送信装置は、フレームをＭＵ−ＭＩＭＯ方式で送信する。
【０１０５】
図６にて上述したことは、説明の便宜上各フィールドが生成されるステップを説明しているが、これは時系列なものと解釈される必要はない。
【０１０６】
非網羅的な例として、本明細書に記載の端末又は端末デバイスは、携帯電話、パーソナルデジタルアシスタント（ＰＤＡ）、デジタルカメラ、携帯ゲーム機、ＭＰ３プレーヤー、ポータブル／パーソナルマルチメディアプレーヤ（ＰＭＰ）ハンドヘルド電子書籍、携帯ラボトップＰＣ、全地球測位システム（ＧＰＳ）ナビゲーションなどのモバイルデバイスが言及され、また、デスクトップＰＣ、高精細度テレビ（ＨＤＴＶ）、光ディスクプレーヤーなどのデバイス、セットアップボックス、無線通信又はここで開示したものと一致するネットワーク通信が可能なものも言及されるものです。
【０１０７】
本発明の実施形態に係る方法は、多様なコンピュータ手段によって行われることができるプログラム命令形態で実現され、コンピュータ読み出し可能な記録媒体に記録されてもよい。
記録媒体は、プログラム命令、データファイル、データ構造などを単独または組み合わせたものを含んでもよい。記録媒体及びプログラム命令は、本発明の目的のために特別に設計されて構成されたものでもよく、また、コンピュータソフトウェア分野の技術を有する当業者にとって公知のものであり使用可能なものであってもよい。
【０１０８】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
したがって、本発明の範囲は、開示された実施形態に限定されて定められるものではなく、特許請求の範囲及び特許請求の範囲と均等なものなどによって定められるものである。
【符号の説明】
【０１０９】
１１０、３１０    プリコードされたデータ
１１１、３１１    Ｌ−ＳＴＦ
１１２、３１２    Ｌ−ＬＴＦ
１１３、３１３    Ｌ−ＳＩＧフィールド
１１４、３１４    ＶＨＴ−ＳＩＧ１フィールド
１２１、３２１    ＶＨＴ−ＳＴＦ
１２２〜１２３、３２２〜３２３    ＶＨＴ−ＬＴＦ１〜ＶＨＴ−ＬＴＦＮ（ＶＨＴ−ＬＴＦｓ）
１３１、３３１    ＶＨＴ−ＳＩＧ２
１４１、３４１、３４２、３５２、３５３、３６２、３６３    ＶＨＴ−ＤＡＴＡ
２１０    アクセスポイント
２１３    プリコーディング部
２２０、２３０、２４０、５００    端末（ＳＴＡ、ＳＴＡ１〜ＳＴＡ３）
４００    データ送信装置
４１１    Ｌ−ＳＴＦ生成部
４１２    Ｌ−ＬＴＦ生成部
４１３    ＶＨＴ−ＳＩＧ１生成部
４２０    ＶＨＴ−ＳＴＦ生成部
４３０    ＶＨＴ−ＳＩＧ２生成部
４４０    ＶＨＴ−ＬＴＦ生成部
４５０    制御部
４６０    プリコーディング部
４７０    送信部
５１１    Ｌ−ＳＴＦ検出部
５１２    第１チャネル推定部
５１３    ＶＨＴ−ＳＩＧ１デコーディング部
５２０    電力増幅器制御部
５３０    第２チャネル推定部
５４０    データデコーディング部
５５０    ＶＨＴ−ＳＩＧ２デコーディング部
５６０    受信部
【図１】
2013517663.tif 000012
【図２】
2013517663.tif 000013
【図３】
2013517663.tif 000014
【図４】
2013517663.tif 000015
【図５】
2013517663.tif 000016
【図６】
2013517663.tif 000017
【国際調査報告】
2013517663.tif 000018
2013517663.tif 000019